(57)【特許請求の範囲】
【請求項１】
鋼板製のユニット本体内に熱交換器、送風機、及び電装箱を配置し、これら送風機及び電装箱の下方に位置する前記ユニット本体の下面に空気吸込口を設け、この空気吸込口にエアフィルタを有する吸込グリルを配置した空気調和機において、
前記吸込グリルは、前記ユニット本体の背面外装パネルに設けられたグリル取付金具に開閉可能に取り付けられ、前記背面外装パネルは、当該背面外装パネルの下縁部を内側にほぼ直角に折り曲げて平坦に形成され、前記吸込グリルを閉じた場合に、前記吸込グリル及び前記エアフィルタに当接して当該吸込グリル及びエアフィルタの上方への移動を抑制する下端部と、この下端部の縁部をほぼ直角に上方に折り返して形成される内側板と、この内側板の一端側を当該内側板の下辺から上方に所定距離だけ離れた位置を基準に、前記電装箱側に傾斜させた傾斜部と、を備え、この傾斜部に前記電装箱をねじ止めしたことを特徴とする空気調和機。
【請求項２】
前記内側板の前記傾斜部以外の部分と前記背面外装パネルとの間に、前記電装箱から延び、前記ユニット本体外部に延出する配線の配線収納部を形成したことを特徴とする請求項１記載の空気調和機。
【請求項３】
前記内側板の上端から、前記内側板の下端まで達しない切り込みを設け、この切り込みの先端を横切る線に沿って、前記内側板の一部を折り曲げて前記傾斜部を形成したことを特徴とする請求項１又は２記載の空気調和機。
【請求項４】
前記内側板に、前記配線を固定する配線固定具を備えたことを特徴とする請求項１乃至３のいずれかに記載の空気調和機。
【発明の詳細な説明】
【技術分野】
【０００１】
本発明は、ユニット本体内に電装箱を有する空気調和機に関する。
【背景技術】
【０００２】
従来、鋼板製のユニット本体内に熱交換器、送風機、及び電装箱を配置した空気調和機送風機及び熱交換器を有する空気調和機が知られている（例えば、特許文献１参照）。この種のものでは、図６に示すように、電装箱６０がユニット本体６１の端部に設置されている。このユニット本体６１の側板６１ａの下縁部６１ｂは、直角に内側に折り曲げられ、この内側に折り曲げられた部分の下端部６１ｃに、上述した電装箱６０の取付片６０ａが、ねじ６４を介して取り付けられている。
【０００３】
この電装箱６０から延びる配線６３は、電装箱６０にクランプ６５で止められ、さらに、側板６１ａの内壁にクランプ６６で止められて、ユニット本体６１の側板６１ａの下縁部６１ｂに沿って導出され、その先端は、電装箱６０の設置位置から遠く離れたユニット本体６１の反対側開口部から導出されている。
また、電装箱６０の取付片６０ａの下側には、図示を省略したエアフィルタ、及び吸込みグリルが設置されている。
【特許文献１】特開平１０−１９７００４号公報
【発明の開示】
【発明が解決しようとする課題】
【０００４】
しかしながら、上記従来技術においては、電装箱６０の取付片６０ａの下側に、ねじ６４を挟んで、エアフィルタが設置されるため、ねじ６４と、エアフィルタの隙間から、エアフィルタを通らずに、ユニット本体６１内の送風機の吸込み口に、浄化されていないエアが吸い込まれるという問題がある。
【０００５】
また、電装箱６０から延びる配線６３の先端が、電装箱６０の設置位置から遠く離れたユニット本体６１の反対側開口部に導出されているが、側板６１ａの内壁側のクランプ６６の設置間隔が大きくなった場合、その配線の途中が垂れ下がり、これによりエアフィルタのメンテナンス時等に、エアフィルタ、及び吸込みグリルを、ユニット本体６１の下面に設置し難くなるという問題がある。
【０００６】
本発明は、上述した事情に鑑みてなされたものであり、ユニット本体内に、浄化されていないエアが吸い込まれることのない空気調和機を提供することを目的とする。
【課題を解決するための手段】
【０００７】
本発明は、鋼板製のユニット本体内に熱交換器、送風機、及び電装箱を配置し、これら送風機及び電装箱の下方に位置する前記ユニット本体の下面に空気吸込口を設け、この空気吸込口にエアフィルタを有する吸込グリルを配置した空気調和機において、前記吸込グリルは、前記ユニット本体の背面外装パネルに設けられたグリル取付金具に開閉可能に取り付けられ、前記背面外装パネルは、当該背面外装パネルの下縁部を内側にほぼ直角に折り曲げて平坦に形成され、前記吸込グリルを閉じた場合に、前記吸込グリル及び前記エアフィルタに当接して当該吸込グリル及びエアフィルタの上方への移動を抑制する下端部と、この下端部の縁部をほぼ直角に上方に折り返して形成される内側板と、この内側板の一端側を当該内側板の下辺から上方に所定距離だけ離れた位置を基準に、前記電装箱側に傾斜させた傾斜部と、を備え、この傾斜部に前記電装箱をねじ止めしたことを特徴とする。
【０００８】
この場合において、前記内側板の前記傾斜部以外の部分と前記背面外装パネルとの間に、前記電装箱から延び、前記ユニット本体外部に延出する配線の配線収納部を形成してもよい。前記内側板の上端から、前記内側板の下端まで達しない切り込みを設け、この切り込みの先端を横切る線に沿って、前記内側板の一部を折り曲げて前記傾斜部を形成してもよい。前記内側板に、前記配線を固定する配線固定具を備えてもよい。
【発明の効果】
【０００９】
本発明によれば、ユニット本体の側板の下縁部を内側に折り曲げ、この内側に折り曲げた内側板の一部を傾斜させ、この傾斜部に電装箱を取り付けたため、電装箱を固定する例えば、ねじとフィルターとの干渉を防ぐことができ、エアフィルタを通らずに、ユニット本体内の送風機の吸込み口に、浄化されていないエアが吸い込まれるといった問題が解消される。
【発明を実施するための最良の形態】
【００１０】
以下、本発明の実施の形態について図面を参照して説明する。本実施の形態では、空気調和機の一態様として、厨房室の空気調和に用いて好適な天吊型の空気調和機について説明する。なお、本発明は天吊型の空気調和機に限らず、例えば天井埋込型など他の空気調和機にも適用可能であることは勿論である。
【００１１】
図１は本実施の形態に係る空気調和機１の外観構成を示す斜視図である。空気調和機１はステンレス等の鋼板製である略箱型のユニット本体１Ａを有し、このユニット本体１Ａの正面、左右面、背面には、側板として前面外装パネル２、左面外装パネル４、右面外装パネル５、背面外装パネル３が設けられており、下面（天面）には、床板として前面外装パネル２が配置されている。ユニット本体１Ａの左面外装パネル４及び右面外装パネル５のそれぞれには２つの掛具８がそれぞれ設けられ、各掛具８に天井から吊り下げられた吊りボルト１５（図２参照）が引掛られて、空気調和機１のユニット本体１Ａが厨房室の天井板１６の下面に設置・固定される。
【００１２】
正面の前面外装パネル２には風向変更用の横羽根（ルーバ）９を着脱自在に取り付けた空気吹出口１０が設けられ、また、下面には吸込グリル１１を着脱自在に取り付けられて空気吸込口１２が形成されている。さらに、空気吹出口１０の左右両側には、スポット空調用ダクト（図示せず）が接続されるダクト用吹出口１３が設けられている。すなわち、空気吹出口１０から冷温風を吹き出させると同時に空気調和室の隅々まで冷温風をスポット的に吹き出させる場合は、スポット空調ダクトをダクト吹出口１３、１３の夫々に接続することで冷温風の一部がダクト吹出口１３、１３からスポット空調用ダクトへ導かれ、スポット冷暖房が行われる。このスポット用吹出口１３にスポット空調用ダクトを接続しない場合には、裏面に断熱材が貼着された吹出口カバー１４でスポット用吹出口１３が塞がれる。
【００１３】
また、上記前面外装パネル２、下面外装パネル７やユニット本体１Ａ、横羽根９、吸込グリル１１、吹出口カバー１４は、それぞれステンレスで形成されており、付着した油を洗剤で簡単に拭き取ることができるようになっている。したがって、厨房内の油煙により油が付着したとしても、光沢のあるきれいな面が簡単に再現される。
【００１４】
図２は空気調和機１のユニット本体１Ａ内部の概略構成を示す断面図である。
空気調和機１のユニット本体１Ａ内には仕切板２０が設けられ、この仕切板２０によりユニット本体１Ａ内が前後二室に区画される。空気吹出口１０が設けられた前側の室（以下「熱交換室」という）２１には、熱交換器２２と、この熱交換器２２の下方に設けられた発泡スチロール製のドレンパン２３とが配設される。ドレンパン２３の上面（熱交換器２２との対向面）には断面凹状のドレン溜まり２３Ａが形成され、また、このドレンパン２３にはドレンホースが接続される図示せぬホース接続管が設けられており、ドレン溜まり２３Ａに収集されたドレンは図示せぬドレンポンプユニットによりドレンホースを介して吸い上げられてユニット本体１Ａの外に排出される。
【００１５】
空気吸込口１２が設けられた後側の室（以下「送風室」という）２４には送風機ユニット２５が配設される。この送風機ユニット２５の下方には、上述した吸込グリル１１が配設され、この吸込グリル１１に空気清浄用のエアフィルタ２６が取り付けられる。そして、送風機ユニット２５が駆動されると吸込グリル１１およびエアフィルタ２６を通じて厨房室内の空気がユニット本体１Ａに吸い込まれ（矢印Ａ）、送風機２５により熱交換器２２に空気が排出され（矢印Ｂ）、熱交換器２２で熱交換された後、横羽根９により風向が調整されて、空気吹出口１０を通じて厨房室内に冷温風が吹き出される（矢印Ｃ）。
【００１６】
図３は、吸込グリル１１を取り外した状態を示す斜視図である。
同図に示すように、上記送風機ユニット２５は、ファン及びファンケースを有する二連の両吸込型送風機３２と、各送風機３２の間に配置された送風機モータ２８とで構成され、仕切板２０に固定されている。背面外装パネル３にはグリル取付具３０が配置されており、エアフィルタ２７が嵌め込まれた吸込グリル１１は、グリル取付具３０に開閉可能（図５）に取り付けられている。
【００１７】
図４は、電装箱５５をユニット本体１Ａに配置する際の斜視図であり、図５は、電装箱５５をユニット本体１Ａに配置した状態の図４のＸ―Ｘ断面図である。
ユニット本体１Ａの側板（背面外装パネル３）の下縁部は、図５に示すように、背面外装パネル３の下辺全域に亘って、内側にほぼ直角に折り曲げられて、寸法ａを持つ平坦な下端部３ａを持ち、さらにほぼ直角に折り返された内側板３ｂを持ち、すなわち全体としては、ほぼコの字状に折り曲げられている。下端部３ａは、下端部３ａの下に位置するエアフィルタ２６のフィルター面に対して略平行であり、吸込グリル１１及びエアフィルタ２６の上方への移動を抑制する。そして、図４に示すように、この内側に折り曲げた内側板３ｂの一部３ｃが、傾斜して折り曲げられ、この一部３ｃ（以下、傾斜部という。）に、電装箱５５が取り付けられている。
【００１８】
この電装箱５５は、プリント基板、電源トランス、端子盤、コンデンサ等の各種電気回路を収納し、この各種電気回路を収納する電装箱本体５５ａと、その開口を覆う電装箱蓋５５ｂとを備えて構成されている。
この電装箱蓋５５ｂには、図４に示すように、二つのだるま穴５５ｇがあけられ、電装箱本体５５ａにねじ込まれた固定ビス５７に、だるま穴５５ｇを嵌め込み、電装箱蓋５５ｂを横方向にスライドさせた後、固定ビス５７を締め付けることにより、電装箱本体５５ａに電装箱蓋５５ｂが固定されている。
【００１９】
上記電装箱本体５５ａの短手側壁の一方には、取付片５５ｄが張り出し、他方には、傾斜した取付片５５ｃが一体に形成されている。
そして、電装箱本体５５ａの一方の取付片５５ｄは、ビス５６ａを介して、カバー５９に固定され、他方の傾斜した取付片５５ｃは、固定ビス５６ｂを介して、上述した内側板３ｂの傾斜部３ｃに固定されている。
【００２０】
一方の取付片５５ｄ、及び他方の傾斜した取付片５５ｃには、各々だるま穴５５ｆがあけられ、電装箱本体５５ａを固定する場合、カバー５９及び傾斜部３ｃの各々にねじ込まれた固定ビス５６ａ，５６ｂに、だるま穴５５ｆが嵌め込まれ、電装箱蓋５５ｂを横方向（矢印Ｅ方向）にスライドさせて、各固定ビス５６ａ，５６ｂを締め付けて、電装箱本体５５ａが固定されている。
【００２１】
なお、内側板３ｂの傾斜部３ｃを、傾斜して折り曲げるに際しては、内側板３ｂの上端３ｈから、その下端３ｉまで達しない切り込み３ｇが設けられ、この切り込み３ｇの先端を横切る線に沿って、傾斜部３ｃを折り曲げている。
ここで、切り込み３ｇの位置は、傾斜部３ｃの範囲が電装箱５５の取付部として機能するのに十分な大きさとなる位置であればよい。
【００２２】
傾斜部３ｃは、図５に示すように、内側板３ｂの下辺（下端部３ａの面に一致する。）から上方に距離ｈ０だけ離れた位置を基準に、電装箱５５側（前面外装パネル２側）に所定の角度ｒ１で屈曲されている。この角度ｒ１は、内側板３ｂと傾斜部３ｃとの成す角度であり、本実施形態では、角度ｒ１＝約４５度である。上記距離ｈ０が設けられていることにより、この距離ｈ０が設けられていない場合（ｈ０＝０）に比べ、背面外装パネル３の下部の剛性が高められている。
【００２３】
また、内側板３ｂの傾斜部３ｃ以外の部分３ｄは、図４に示すように、ユニット本体１Ａの長手方向一杯に延在し、この傾斜部３ｃ以外の部分３ｄと、背面外装パネル３との間には、電装箱５５から延びた配線３１を収納する配線収納部３３が形成されている。この配線収納部３３は、配線３１を収納するのに十分な大きさで形成され、下端部３ａの寸法ａと略同じ幅で形成されている。
【００２４】
この配線３１は、電装箱本体５５ａに配置された鳩目ゴム５３を介して送風室２４内に引き出され、電装箱本体５５ａに配置された電装箱側クランプ５２で保持され、配線収納部３３に収納され、この配線収納部３３に沿って、図３に示すように、三つの外装パネル側クランプ５１で保持された後、現地配線取入口３８に導かれる。この現地配線取入口３８は、背面外装パネル３の右面外装パネル５側に形成されており、ここには熱交換器２２（図２）から延びるガス管３６及びオイル管３７も通され、これら管３６，３７は、図示せぬ室外機に接続されている。
【００２５】
本実施形態では、電装箱５５を、内側板３ｂの傾斜部３ｃに取り付けた場合、図５に示すように、電装箱固定ビス５６の頭とエアフィルタ２６の間に距離ｈが生じ、従来のように、固定ビス５６の頭とエアフィルタ２６が干渉しない。従って、内側板３ｂの下端部３ａとエアフィルタ２６の間に隙間が生じることがなく、よって、吸込グリル１１から流入した空気の一部が、エアフィルタ２６を流通せずに、この隙間から送風室２４に流入するといったトラブルが未然に解消される。
【００２６】
また、内側板３ｂの外側に配線収納部３３を設けたため、配線３１をこの配線収納部３３に収納することができ、これにより、吸込グリル１１やエアフィルタ２６を開放し、送風室２４を露出したときに、配線収納部３３に収納された配線３１が外部から見え難いため、スッキリとした配線収納が可能になる。
【００２７】
本構成では、天吊り状態で作業者が上を向いて、吸込グリル１１やエアフィルタ２６を外した場合、配線３１が垂れ下がらず、メンテナンスの邪魔にならず、しかも、メンテナンス後に、作業者が上を向いて、吸込グリル１１やエアフィルタ２６を収める場合、配線３１が邪魔にならず、簡単に収めることができる。
さらに、内側板３ｂに、外装パネル側クランプ５１がねじ止めされるため、従来のように、外装パネル側クランプ５１を背面外装パネル３に対し、例えばスポット溶接する必要がなく、作業性を向上させることができる。
【００２８】
以上、一実施形態に基づいて本発明を説明したが、本発明は、これに限定されるものではない。例えば、傾斜部３ｃの傾斜角は４５°に限定されず、要するに、固定ビス５６とエアフィルタ２６が干渉しない角度であればよい。また、上記実施形態では、内側板３ｂの端部に傾斜部３ｃを形成したが、この傾斜部３ｃは、電装箱の位置に応じて、その位置を変化させることができる。また、切り込み３ｇを設けることで、内側板３ｂと傾斜部３ｃを分けているが、内側板３ｂに切り込み３ｇを設けないで、プレス加工により傾斜部３ｃを一体形成してもよい。
【図面の簡単な説明】
【００２９】
【図１】本発明による室内機の一実施形態を示す斜視図である。
【図２】室内機の断面図である。
【図３】送風室を露出した状態の室内機の斜視図である。
【図４】電装箱を配置する際の斜視図である。
【図５】図４のＸ−Ｘ断面図である。
【図６】従来の電装箱配置方法による図４相当図である。
【符号の説明】
【００３０】
１  空気調和機（天井吊下型空気調和機）
１Ａ  ユニット本体
３  側板
３ｂ  内側板
３ｃ  傾斜部
３ｇ  切り込み
３ｈ  上端
３ｉ  下端
２２  熱交換器
２５  送風機ユニット（送風機）
３１  配線
３３  配線収納部
５１  外装パネル側クランプ（配線固定具）
５５  電装箱
【図１】
0004436787.tif 000002
【図２】
0004436787.tif 000003
【図３】
0004436787.tif 000004
【図４】
0004436787.tif 000005
【図５】
0004436787.tif 000006
【図６】
0004436787.tif 000007